(57)【特許請求の範囲】
【請求項１】
管内に発生した負圧を軽減させるための通気弁で、弁室と弁室を大気と連通させる空気流入口を有する弁本体を備え、この空気流入口は、内側及び外側の円心状の間隔をおいた環状弁座の間に備え、この環状弁座に通常は着座しているが、管内の負圧に応答して開く弁体を備え、前記弁本体の弁室を被蓋するキャップを弁本体上部に設けた係合手段を介して弁本体に着脱自在に設け、前記外側の環状弁座の外方の前記弁室内に環状の集水溝を形成すると共に、前記弁室の下方に接続筒部を一体に設け、この接続筒部内に軸心方向に沿って設けた連通流路と前記集水溝とを連通させたことを特徴とする通気弁。
【発明の詳細な説明】
【０００１】
【発明の属する技術分野】
本発明は、排水用通気管等に接続して管内に発生した負圧を軽減させる通気弁に関し、内部部品を着脱させて点検等を可能とした通気弁に関する。
【０００２】
【従来の技術】
通気弁は、建造物の内部に配設した伸頂通気管の末端を直接大気に開口することなく、主に排水時に空気の吸込みを行うものであるが、通常、これらの通気弁は、弁室を構成しているボデー本体とキャップが接着嵌合しており、一体化した構造になっている。
【０００３】
通気弁を伸頂通気管の末端に接続した後には、時間の経過と共に様々な問題が発生し、例えば、通気弁内に溜まった結露水が漏れて臭気漏れ等が発生したり、或は、弁内の弁体が外気より影響を受け、気密性が低下して、微少負圧で弁体が作動したりするなどの誤動作が起こり、通気弁としての役割を十分に働らかせることが難しくなることがあった。
通気弁にこれらの不具合が発生した場合には、通気弁全体を交換するようにしており、そのため、通気弁と通気管との管接続部には、着脱可能な継手を付加する例も提案されている。
【０００４】
一方において、例えば、特公平１−３７６２８号公報に示す安全弁がある。この安全弁は、弁のシリンダに対してキャップをシール嵌着すると共に、シリンダからキャップを取り外し可能に設けている。
【０００５】
また、特公平１−３５２３５号公報の連結弁は、連結弁本体からパイプコネクタを延設して設け、このパイプコネクタと外部の流路を螺合によって接合する構造としたものである。
【０００６】
【発明が解決しようとする課題】
しかしながら、前述の通気弁は、弁内の弁機構の点検やその他のメンテナンス等を行なうことができず、継続して使用することができる可能性のある弁機構全体を交換することになるので余分な費用がかかっていた。
また、着脱継手を付加する必要があるため、更なるコストがかかり、この弁構造によって設置するスペースも限定されていた。
【０００７】
密封性に関しては、弁内を密閉するためのキャップとボデーの接着がスナップフィットと点接着のみによる固着が多く、この場合、固定することはできるが、弁本体と通気管の着脱によってキャップとボデーの嵌合部に間隙が生じることがあったり、或は、キャップ、ボデーを夫々成形する際に歪みが生じた場合には、嵌合したときに空間が生じることがあり、弁内部を完全に安定してシールすることが難しかった。
【０００８】
また、特公平１−３５２３５号公報の連結弁は、内部の消耗などによって交換の必要性が生じた場合には、パイプコネクタの継手ごと交換しなければならず、このため、無駄なコストがかかっていた。
更に、この連結弁は、外方リング下部で、かつ弁座近傍に螺合接続部を有しているので、接続部より結露水が漏れたり、結露水が凍結すると外方リングが膨張して接合部分からリークしたりするおそれ等があった。
【０００９】
本発明は、上記の実情に鑑みて鋭意検討の結果、開発に至ったものであり、その目的とするところは、弁が消耗した際には弁ごと交換する必要がなく、弁内機構の洗浄・交換作業を容易に行なうことができる通気弁であることに加え、特に、密封性が良好で設置スペースの小さい通気弁を提供することを目的とする。
【００１０】
【課題を解決するための手段】
上記の目的を達成するため、請求項１に係る発明は、管内に発生した負圧を軽減させるための通気弁で、弁室と弁室を大気と連通させる空気流入口を有する弁本体を備え、この空気流入口は、内側及び外側の円心状の間隔をおいた環状弁座の間に備え、この環状弁座に通常は着座しているが、管内の負圧に応答して開く弁体を備え、前記弁本体の弁室を被蓋するキャップを弁本体上部に設けた係合手段を介して弁本体に着脱自在に設け、前記外側の環状弁座の外方の前記弁室内に環状の集水溝を形成すると共に、前記弁室の下方に接続筒部を一体に設け、この接続筒部内に軸心方向に沿って設けた連通流路と前記集水溝とを連通させた通気弁である。
【００１１】
更には、上記キャップと弁室内周面との環状当接面にＯリング等のシール部材を装着した。
【００１２】
【発明の実施の形態】
本発明における通気弁の実施形態の一例を図１〜図７に従って詳述する。
本発明に使用する通気弁は、排水管内の排水の流れを円滑にするための空気を取り込む機能と、排水管内の下水ガスの臭気漏れを防止する機能を有するもので、通常、屋外に開放しなければならない通気管の末端開口部を屋内で処理することができるようにした器具である。使用によって、管末端の突起物が露出しないため、建造物の美観を損なうことがないことや、屋根や外壁を貫通させる通気工事の簡略化が図れるなどの利点があり、建造物の排水立て管の上部に延設される伸頂通気管の上部又は排水横枝管の途中に設けた通気管に垂直状態に取り付けて使用するものである。
【００１３】
ここで、本発明における通気弁の構造を説明する。図１〜図７は、本発明における通気弁の一例を示したもので、図４において、弁室１０は、弁本体２８の円筒部１１で区画形成され、この円筒部１１と同心円状に内側の環状弁座１２と外側の環状弁座１３を形成している。これらの弁座は、いずれも完全な環状を形成している。
また、円筒部１１の上部開口部１１ａに円盤状のキャップ１４を着脱自在に設け、また、キャップ１４の下面中央部に案内軸１５を垂下形成し、この案内軸１５には、放射方向に４つの放射突条部１５ａを形成している。この弁本体２８とキャップ１４及び昇降部材１９は、本例において合成樹脂で形成している。
【００１４】
弁室１０内には、弁体１６が昇降自在に設けられ、この弁体１６は、通常は、自重により環状弁座１２，１３に着座し、管内が負圧になると、それに応答して大気圧によって持ち上げられて開放するように設けられている。この弁体１６は、これらの機能を発揮するものであれば、何れの構造でも良いが、本例における弁体１６は、図４、図５に示すように、中央部に円形の案内孔１７を有し、かつ複数の連通孔１８を有する円形状の昇降部材１９の外周面に取付溝１９ａを形成し、この取付溝１９ａにゴム等の材料で形成した環状の可撓性部材２０を取付け、昇降部材１９の円形の案内孔１７に案内軸１５が嵌合していて、この軸１５に案内されながら弁体１６が昇降動し、弁体１６の自重により環状弁座１２，１３に着座しているときは、可撓性部材２０が環状弁座１２，１３に押し付けられた状態で弁を閉止するようにしている。また、図に示すように、案内軸１５は、環状弁座１２，１３より下側位置まで垂下されており、また、可撓性部材２０の外径は、円筒部１１の内径より小さくしていて円筒部１１に接触しないように設けられている。
【００１５】
また、環状弁座１２，１３の間に、大気と連通した空気流入口２１を設け、環状弁座１２，１３の間には、放射方向に複数個の保持片２２が設けられている。
【００１６】
更に、外側の環状弁座１３の外方である外周部には、弁室１０内の結露水を集水するための環状の集水溝２４を形成し、本例においては、連通流路２３に至るまで下方に沿って傾斜させる構造としているが水平に設けてもかまわず、また、弁室１０の軸心に偏心させた位置に、弁室１０と連通筒部２５を介して排水用通気管３６の上端に接続する接続筒部２６を一体に形成しているが、通常のように弁室を軸心上に形成したものを使用してもよく、これらは実施に応じて任意である。
【００１７】
本発明の通気弁の弁室１０を密封しているキャップ１４は、上部外縁に環状の鍔部３１と外周側面に凸状の突起部３３を形成している。また、円筒部１１の上部開口部１１ａ付近の内周には、この突起部３３に係合可能なＬ字型に切欠いた係止部３４を形成し、突起部３３は係止部３４に着脱可能に設けている。
【００１８】
この係合手段を図に従って具体的に説明する。
係止部３４は、案内溝３４ａと止着溝３４ｂからなり、円筒部１１の内周面に凹状に切欠いて設けた溝である。このうち、案内溝３４ａは、円筒部１１ａの開口部１１ａ側から突起部３３が垂下方向に装入可能になるように設け、また、止着溝３４ｂは、案内溝３４ａに装入させた突起部３３を回転可能に形成し、回転した突起部３３が止着するように案内している。
【００１９】
図７のように、突起部３３を止着溝３４ｂに止着させると、突起部３３は垂直方向に係止され、また、キャップ１４と上部開口部１１ａを止着した際に、弁室１０内の密封性を保持するためにキャップ１４の凹部１４ａにシール部材３５（Ｏリング）を装着しているので、このシール部材３５がキャップ１４の回転によって開口部３０内に密着するので、キャップ１４は、円筒部１１に止着して密封状態を保つことができる。
【００２０】
キャップ１４の着脱は、キャップ１４の天面にリブ形状にして放射状に設けた掛り部１４ｂを利用して行い、例えば、キャップ１４を外す際には、先ず、この掛り部１４ｂを掌で押圧しながらキャップ１４を本例においては約１０°回転させて突起部３３と止着溝３４ｂとの止着状態を外し、次いで、キャップ１４の外周を指先で押圧しながら、そのまま略垂直方向に引き上げることによってキャップ１４の突起部３３が案内溝３４ａを通過して突起部３３を外すことができる。本実施形態における係合手段は、弁本体２８の上部に設けているので、収集溝２４に集水された結露水が外部に漏れる心配なくキャップ１４を取り外すことができると共に、集水された結露水が凍結した場合でも、その影響を受けることなくキャップの着脱ができる。
【００２１】
本実施形態における案内軸１５には、先端部位にスナップ部１５ｂを設け、案内軸１５を昇降部材１９の円形の案内孔１７に挿入する際に、スナップ嵌合させている。キャップ１４の円筒部１１への着脱時には、スナップ部１５ｂが案内孔１７に係止するため、弁体１６の自重によって案内軸１５より抜け落ちることのないようしている。これによって、弁本体２８の内部や、弁体１６等の内部部品を点検する場合に、キャップ１４の取り出しに伴って弁体１６も同時に引き出すことができ、点検を簡単に行なうことができるが、これに拘ることなくキャップ１４の着脱時に弁体１６が本体側に残るようにしてもよい。
なお、上記の係合手段は一例を示したものであり、その他、弁室にキャップを螺合して着脱する構造も含むものとする。
【００２２】
次に、上記の実施形態の作用を説明する。
本例の通気弁は、弁本体２８の円筒部１１の内周面に係止部３４を設け、キャップ１４の外周面側の凸状の突起部３３を略Ｌ字形の係止部３４に着脱可能に設けているので、キャップ１４を簡単に取り外すことができ、弁本体２８の内部や弁体１６の内部部品の洗浄・交換を行なうことができる。
【００２３】
また、キャップ１４の下部外周に凹部１４ａを設け、この凹部１４ａにシール部材３５を設けているので、キャップ１４は、着脱時に弁本体２８の開口部３０に密着して弁室１０内に密封性を保持しながら簡単かつ確実に着脱することができ、更には、キャップ１４を弁本体２８に対して回転して取付けているので、より高い密封性を保つことができ、安定した止着状態を保つことが出来る。
【００２４】
更には、キャップ１４と弁体１６をスナップ嵌合させた場合には、弁本体２８の内部や弁体１６等の内部部品を点検する場合、従来の通気弁では、キャップ１４を外しても弁体１６は本体側に残るが、本例の通気弁によると、キャップ１４を掛り部１４ｂを利用して図６の矢印方向に回転して円筒部１１から取り外すと、案内軸１５のスナップ部１５ｂが弁体１６の昇降部材１９に設けた案内孔１７に係合するので、キャップ１４の取り出しに伴って弁体１６も同時に引き出すことができ、弁本体２８の内部を点検して洗浄したり、内部部品である弁体１６を点検又は洗浄することができる。一方、弁体１６を弁室１０内に装着する場合にも、キャップ１４の弁室１０の円筒部１１への取付けに伴って装着することができ、突起部３３を係止部３４に合わせた状態で掛り部１４ｂを利用してキャップ１４を回転させるだけで適正位置に弁体１６を着座させることができるので、キャップ１４は、着脱性に優れ、不具合が発生したときや弁機構部の点検に伴うゴミ等の付着物の除去、洗浄等を容易に行うことができる。
【００２５】
また、キャップ１４の下部外周に凹部１４ａを設け、この凹部１４ａにシール部材（Ｏリング）３５を設けているので、キャップ１４は、着脱時に弁本体２８の開口部３０に密着して弁室１０内の密封性を保持しながら簡単かつ確実に着脱することができ、更には、キャップ１４を弁本体２８に対して回転して取付けているので、より高い密封性を保つことができる。
【００２６】
本発明における着脱構造は、本例以外にも、キャップ１４の外周に凸状或は凹状部位を設け、弁本体２８の内周に設けた凹状部位或は凸状部位と係合させるように回転して着脱させたり、或は、螺合手段等によって着脱させることができる。更には、シール部材３５によって弁室１０内の密封性を保つようにすれば、回転動作による着脱手段以外にも、様々な係合手段を用いてキャップ１４と弁本体２８を着脱させることができる。
【００２７】
なお、上記の通気弁は、弁本体２８と円筒部１１とが偏心状態に形成されている例を示したが、本発明は、これに限定されることなく、弁本体と円筒部等が同心状態の例、或はその他の各種の通気弁の構造に適用でき、その構造は実施に応じて任意である。
【００２８】
【発明の効果】
以上のことから明らかなように、本発明の通気弁は、弁が消耗した際等に、弁ごと交換する必要がなく、分解や組立てが極めて容易で、弁内機構の洗浄・交換作業を容易に行なうことができる通気弁を提供することができると共に、少ない部品点数で密封性が良好で設置スペースの小さい通気弁を得ることができる。
また、本発明の通気弁は、集水した結露水を外部に漏らすことなく、また、集水された結露水が凍結した場合でも、その影響を受けることなく分解することが可能な通気弁を得ることができる。
【図面の簡単な説明】
【図１】本発明の一例を示した通気弁の斜視図である。
【図２】図１の通気弁の一部切欠き拡大断面図である。
【図３】図１の通気弁の組立て状態を示す参考図である。
【図４】本発明の通気弁の縦断面図である。
【図５】本発明の通気弁の縦断面図である。
【図６】係止部付近を示す部分拡大断面図である。
【図７】図６のキャップが回転した状態を示す説明図である。
【符号の説明】
１０  弁室
１２，１３  環状弁座
１４  キャップ
２１  空気流入口
２８  弁本体
【図１】
0003795293.tif 000002
【図２】
0003795293.tif 000003
【図３】
0003795293.tif 000004
【図４】
0003795293.tif 000005
【図５】
0003795293.tif 000006
【図６】
0003795293.tif 000007
【図７】
0003795293.tif 000008